(57)【要約】【課題】理化学ガラス器具の口管部を密栓でき、かつ、抜栓作業を円滑容易に可能にする。【解決手段】理化学ガラス器具の２の口管部２０と気密に嵌合するガラス製の線本体１０と、この栓本体の基端部に延設した摘み用頭部１２とを有し、栓本体を口管部に嵌入して密栓する理化学ガラス器具用の栓１であって、前記頭部の外周壁面にローレット加工１５を施す。前記頭部の外周壁面はローレット加工により防滑機能が付与されている。したがって、抜栓作業を容易かつ円滑良好に行なえる。【選択図】図１
0003176329.tif 000002
【実用新案登録請求の範囲】
【請求項１】
理化学ガラス器具の口管部と気密に嵌合するガラス製の栓本体と、当該栓本体の基端部に一体的に延設した摘み用頭部とを有し、前記栓本体を前記口管部に脱抜可能に嵌入して密栓する理化学ガラス器具用の栓であって、
前記摘み用頭部の外周壁面の略全域にローレット加工が施されていることを特徴とする理化学ガラス器具用の栓。
【請求項２】
前記栓本体の外周壁面には、前記口管部の内周壁面と気密に嵌合させる研磨加工が施されていることを特徴とする請求項１に記載の理化学ガラス器具用の栓。
【請求項３】
前記栓本体は先細円錐状に形成されていることを特徴とする請求項１又は２に記載の理化学ガラス器具用の栓。
【考案の詳細な説明】
【技術分野】
【０００１】
本考案は、各種理化学ガラス器具の口管部を密栓する理化学ガラス器具用の栓に関する。さらに詳しくは、試験管，フラスコ，試料瓶，分液ロート，蒸留ないし分留器（装置），反応器（装置）、その他各種の理化学ガラス器具の口管部を密栓する理化学ガラス器具用の栓に関する。
【背景技術】
【０００２】
従来の理化学ガラス器具用の栓５０は、図４に示すように、一般にガラス製の栓本体５１と、この栓本体５１の基端部に頸部５２を介して延設した摘み用頭部５３とを有して構成されている（例えば、特許文献１等参照）。
【０００３】
前記栓５０は、栓本体５１を図示しない理化学ガラス器具の口管部に脱抜可能に嵌入して密栓するものである。そのため、栓本体５１は前記口管部と適合して気密に嵌合させるように、口管部の内周壁面及び栓本体の外周壁面を摺り合わせ加工等により研磨加工を施してある。栓本体は先細円錐状に形成され、また、口管部の内周壁面も栓本体と合致したテーパー状に形成されている。なお、摘み用頭部５３の外周壁面は平滑面に形成されている。
【０００４】
従来の前記栓５０は上記のように構成され、上述したように、栓本体５１を口管部に嵌入して密栓するものである。これにより、口管部は気密性を保持して密閉される。また、栓５０を口管部から抜く際には、摘み用頭部を手で掴み、或いは握って引っ張ることにより行なわれる。
【先行技術文献】
【特許文献】
【０００５】
【特許文献１】実公平６−４７８００号公報
【考案の概要】
【考案が解決しようとする課題】
【０００６】
理化学ガラス器具用の栓は、上述したように、栓本体５１を口管部に嵌入して密栓するものである。そのため、栓本体を口管部に可成り強く押し込んで閉栓される。したがって、抜栓する際は、頭部５３を摘んで栓をそのまま直線状に引っ張り操作しても栓を抜くことは困難である。そのため、通常は栓（栓本体）を回動しながら引っ張ることにより抜栓作業を行なっている。
【０００７】
しかるに、従来の前記栓５０の摘み用頭部５３の外周壁面は平滑面に形成されていると共に円盤状に形成されている。そのため、頭部５３は滑り易いので、これを摘んで回動操作することは困難であり、その結果、栓抜き作業に手間が掛かると共に、時には、抜栓作業を行なう際に、不用意にガラス器具を破損するおそれも生じる。
【０００８】
本考案は上記のような実情に鑑みてなされたもので、理化学ガラス器具の口管部を気密性を保持して良好に密栓でき、かつ、抜栓作業を円滑容易にできる理化学ガラス器具用の栓を提供することを目的とするものである。
【課題を解決するための手段】
【０００９】
上記目的を達成するため、本考案のうち１つの考案（第１の考案）は、理化学ガラス器具の口管部と気密に嵌合するガラス製の栓本体と、当該栓本体の基端部に一体的に延設した摘み用頭部とを有し、前記栓本体を前記口管部に脱抜可能に嵌入して密栓する理化学ガラス器具用の栓であって、
前記摘み用頭部の外周壁面の略全域にローレット加工が施されていることを特徴とする。
【００１０】
本考案のうち、他の１つの考案（第２の考案）は、第１の考案の理化学ガラス器具用の栓において、前記栓本体の外周壁面には、前記口管部の内周壁面と気密に嵌合させる研磨加工が施されていることを特徴とする。
【００１１】
本考案のさらに他の１つの考案（第３の考案）は、第１及び第２の考案の理化学ガラス器具用の栓において、前記栓本体は先細円錐状に形成されていることを特徴とする。
【００１２】
なお、本考案（第１〜第３の考案）の理化学ガラス器具用の栓は、試験管，フラスコ，試料瓶，分液ロート，蒸留器（装置），分留器（装置），反応器（装置）、その他口管部を有する各種の理化学ガラス器具に適用可能なものである。
【考案の効果】
【００１３】
本考案によれば、次のような作用効果を奏する。
（１）ガラス製の栓本体は、理化学ガラス器具の口管部と気密に嵌合するように構成されている。したがって、栓本体を前記口管部に嵌入することにより、気密性を保持して確実に密栓することができる。
（２）摘み用頭部の外周壁面はローレット加工が施されている。したがって、ローレットが防滑作用を発揮するので、摘み用頭部を掴み、或いは握って栓本体を容易に回動することができるので、抜栓作業を簡単かつ円滑良好に行なうことが可能になる。
【図面の簡単な説明】
【００１４】
【図１】本考案の一実施形態の理化学ガラス器具用の栓の構成を概略的に示す図であって、同図（ａ）は斜視図、同図（ｂ）は縦断面図、同図（ｃ）は前記栓で理化学ガラス器具の口管部を密栓した状態の構成を概略的に示す説明図である。
【図２】本考案の他の実施形態の理化学ガラス器具用の栓の構成を概略的に示す側面図（ａ）及び縦断面図（ｂ）である。
【図３】本考案のさらに他の実施形態の理化学ガラス器具用の栓の構成を概略的に示す側面図（ａ）及び縦断面図（ｂ）である。
【図４】従来の理化学ガラス器具用の栓の構成を概略的に示す側面図である。
【考案を実施するための形態】
【００１５】
以下、図面を参照して本考案の理化学ガラス器具用の栓の実施形態の一例について説明する。
【００１６】
図１は本考案の一実施形態（実施形態１）を示す。実施形態１の理化学ガラス器具用の栓１は、理化学ガラス器具２の口管部２０と適合して気密に嵌合する透明ガラス等のガラス製の栓本体１０と、この栓本体１０の基端部に頸部１１を介して一体的に延設した摘み用頭部１２とを備える。
【００１７】
前記栓１は、栓本体１０を口管部２０に脱抜可能に嵌入して密栓するものである。栓本体１０は先端側が次第に縮径する先細円錐状（テーパー）に形成されている。また、前記口管部２０の内周壁面２０ａも栓本体１０と適合するテーパーが付与されている。
【００１８】
栓本体１０の外周壁面１０ａには、口管部２０の内周壁面２０ａと適合、かつ、気密性を保持して嵌合させるため、摺り合わせ研磨その他の研磨加工を施して規定寸法に仕上げてある。また、口管部２０の内周壁面２０ａにも前記と同様に研磨加工を施して規定寸法に仕上げ加工が施されている。これにより、互換性を具備して口管部２０に適合、かつ、気密性を保持して密栓するように構成されている。
【００１９】
実施形態１の栓本体１０は、内部を中空１３に形成し、中空内部の先端は開口１４されている。
【００２０】
また、実施形態１では、理化学ガラス器具２として、透明ガラス製の試験管を採用した例が開示されている。この場合、フラスコ，分留器，反応器，その他の各種の理化学ガラス器具を採用できること勿論である。
【００２１】
前記栓１及び栓本体１０は、ＪＩＳ規格等により定められた大小各種大きさの規定の寸法に構成されている。そして、上記と同様に規定の寸法に構成されている理化学ガラス器具の口管部に使用される。
【００２２】
前記摘み用頭部１２の外周壁面には、略全域にわたりローレット加工１５が施されている。これにより、頭部１２の外周壁面の略全域にローレット加工１５による凹凸条（ギザギザ条）が形成されている。
【００２３】
実施形態１の理化学ガラス器具用の栓は上記のように構成され、栓本体１０を口管部２０に嵌入することにより、気密性を保持して確実に口管部を密栓することができる。また、摘み用頭部の外周壁面にはローレット加工が施され、防滑作用が付与されている。したがって、摘み用頭部１２を手で掴み、或いは握って栓本体を容易に回動できるので、抜栓作業を容易、かつ、円滑良好に行なうことができる。
【００２４】
図２は本考案の他の実施形態（実施形態２）を示す。実施形態２の理化学ガラス器具用の栓において、実施形態１で既に説明した構成と共通する構成部等には同一符号を付して説明を省略する。この点については後述する実施形態においても同様である。
【００２５】
実施形態２の理化学ガラス器具用の栓１Ａは、栓本体１０の内部を中空１３Ａに形成してある。また、実施形態１のように中空内部の先端を開口しないでガラス製の板状体１６で閉塞して栓本体１０を構成してある。他の構成は実施形態１と同様である。
【００２６】
実施形態２の理化学ガラス器具用の栓は上記のように構成し、実施形態１と同様に使用するものである。これにより、実施形態１と同様の作用効果を奏する。
【００２７】
図３は本考案のさらに他の実施形態（実施形態３）を示す。実施形態３は栓本体１０の構成に特徴がある。
【００２８】
実施形態３の理化学ガラス器具用の栓１Ｂは、図３（ｂ）に示すように、栓本体１０を実施形態１及び２のように、内部を中空に形成しないで無垢（中実）に形成したものである。他の構成は実施形態１と同様である。
【００２９】
実施形態３の理化学ガラス器具用の栓は上記のように構成し、実施形態１と同様に使用するものである。これにより、実施形態１と同様の作用効果を奏する。
【００３０】
なお、上述した実施形態では、理化学ガラス器具２として、試験管を採用した例を開示したが、本考案の前記栓は、上述したように、フラスコ，試料瓶，蒸留器ないし分留器（装置），反応器（装置）、その他各種の理化学ガラス器具に適用可能なものである。
【００３１】
また、上記した各実施形態の理化学ガラス器具用の栓は一例として開示したもので、本考案は上記実施形態に限定されるものではなく、実用新案登録請求の範囲に記載の技術思想を越脱しない範囲において任意に変更可能なものである。
【符号の説明】
【００３２】
１        理化学ガラス器具用の栓
２        理化学ガラス器具
１０      栓本体
１２      摘み用頭部
１５      ローレット加工
２０      口管部
【図１】
0003176329.tif 000003
【図２】
0003176329.tif 000004
【図３】
0003176329.tif 000005
【図４】
0003176329.tif 000006